(57)【特許請求の範囲】
【請求項１】
天井面に設置される照明用ソケットに接続および係合するソケット部と、該ソケット部を含む天面部と、該天面部の外形よりも小さい外形寸法を有する底面部と、該天面部と該底面部との間に円錐面または角錐面を形成する取付面部と、を含むキャビネットと、
該キャビネットの該取付面部に取り付けられる複数のスピーカーと、
を備え、
複数の該スピーカーのそれぞれが、該取付面部に沿って配置される細長形平面振動板を有し、該細長形平面振動板が、該天面部側および該底面部側を長径方向とし、該取付面部の該円錐面または該角錐面を周回する方向を短径方向とするように配置される、
天井設置用スピーカーシステム。
【請求項２】
前記キャビネットの前記取付面部に形成される前記円錐面または前記角錐面が、前記天井面との断面交叉角度が約３０°〜６０°である、
天井設置用スピーカーシステム。
【請求項３】
複数の前記スピーカーが、前記キャビネットの前記取付面部の前記周回する方向において、一周を略均等分するように配置されている、
請求項１または２に記載の天井設置用スピーカーシステム。
【請求項４】
前記キャビネットが、前記底面部の中央開孔および前記天面部の前記ソケット部に連通する凹部を有し、該ソケット部が、該中央開口および該凹部を介して他の照明装置を接続可能および係合可能にする照明ソケットをさらに含む、
請求項１から３のいずれかに記載の天井設置用スピーカーシステム。
【請求項５】
前記キャビネットの内部に取り付けられて、前記照明用ソケットから前記ソケット部を介して電源を供給されて前記スピーカーに増幅した音声信号を出力するアンプ回路を、さらに備える、
請求項１から４のいずれかに記載の天井設置用スピーカーシステム。
【請求項６】
前記キャビネットの内部に取り付けられて、前記照明用ソケットから前記ソケット部を介して電源を供給されて受信した無線信号を前記音声信号に変換して前記アンプ回路に出力する無線受信回路を、さらに備える、
請求項５に記載の天井設置用スピーカーシステム。
【請求項７】
請求項４から６のいずれかに記載の天井設置用スピーカーシステムと、
前記ソケット部の前記照明ソケットに接続および係合して、該照明用ソケットから電源を供給されて照明する照明部と、
を備える、照明装置。
【発明の詳細な説明】
【技術分野】
【０００１】
本発明は、天井面に設置して音声を再生する天井設置用スピーカーシステムに関し、特に、天井面の照明用ソケット（シーリング、ローゼット）に接続および係合して設置し、他の照明装置も接続することができる天井設置用スピーカーシステムおよびこれを用いる照明装置に関する。
【背景技術】
【０００２】
音声を再生するオーディオ機器には、住居又は店舗の天井面に設置する天井設置用スピーカーシステムがある。また、天井設置用スピーカーシステムの中には、天井に設置する照明装置と一体化したスピーカーシステム、あるいは、照明装置と組み合わせて使用可能にするスピーカーシステムがある。このスピーカーシステムは、天井面から吊り下げられて使用される吊り下げ型の照明器具の上に載置して使用することができる場合がある。スピーカーシステムと照明装置を組み合わせる場合には、照明装置に供給される電源を利用できるので、電源を必要とする増幅回路または受信回路を内蔵するものがある。
【０００３】
例えば、従来には、吊り下げ型照明器具の上に載置されるスピーカーであって、中心部を上下に貫通した挿通孔を有し、該挿通孔内に吊り下げ型照明器具が吊り下げられるとともに、照明器具への給電コードが挿通された外筐と、外筐内に配置されたスピーカーユニットと、送信部から送られた信号を受信しこれを増幅して前記スピーカーユニットを駆動する受信部とを備えたことを特徴とするスピーカーがある（特許文献１）。
【０００４】
また、従来には、対象物と照明装置に関連して設定される音響装置であり、本体と、本体を対象物に固定する第１固定部と、本体に設けられる音発生部と、本体に照明装置を固定して電気的に接続するための第２固定部と、を備えることを特徴とする音響装置がある（特許文献２）。ここで、音発生部は、駆動用電源により駆動されるアクティブスピーカーであり、駆動用電源は対象物側から第１固定部と本体を介して音発生部に供給される場合がある。
【０００５】
【特許文献１】特許第２５７０７６３号公報  （第１図〜第５図）
【特許文献２】特開平１１−２２５３８５号公報  （第１図〜第２１図）
【０００６】
しかしながら、従来技術の照明装置を組み合わせる天井設置用スピーカーシステムでは、例えば特許文献１の場合には、組み合わせ対象とする照明装置が実質的に限られる、スピーカーの取付位置が低くて聴取者からその位置が分かりやすすぎて天井設置用スピーカーシステムに求められるＢＧＭ再生に適しない、等の問題がある。また、特許文献２の場合には、スピーカー振動子の前面側からの放射音と、その逆相成分となるスピーカー振動子の背面側からの放射音と、が聴取者へ供給されるので、それらの合成音はこれらが打ち消しあった結果できる大きなピーク・ディップが出現する音圧周波数特性になる、という問題がある。
【発明の概要】
【発明が解決しようとする課題】
【０００７】
本発明は、上記の従来技術が有する問題を解決するためになされたものであり、その目的は、住居又は店舗の天井面に設置して音声を再生する天井設置用スピーカーシステムに関し、組み合わせ対象とする照明装置を限定することなく、また、聴取者が起立位置に居るか、あるいは、着座位置に居るか、また、周方向のいずれの角度方向に居るかに関わらず、音圧周波数特性にピーク・ディップが出現しにくく、良好な音声再生が可能な天井設置用スピーカーシステムおよびこれを用いる照明装置を提供することにある。
【課題を解決するための手段】
【０００８】
本発明の天井設置用スピーカーシステムは、天井面に設置される照明用ソケットに接続および係合するソケット部と、ソケット部を含む天面部と、天面部の外形よりも小さい外形寸法を有する底面部と、天面部と底面部との間に円錐面または角錐面を形成する取付面部と、を含むキャビネットと、キャビネットの取付面部に取り付けられる複数のスピーカーと、を備え、複数のスピーカーのそれぞれが、取付面部に沿って配置される細長形平面振動板を有し、細長形平面振動板が、天面部側および底面部側を長径方向とし、取付面部の円錐面または角錐面を周回する方向を短径方向とするように配置される。
【０００９】
好ましくは、本発明の天井設置用スピーカーシステムは、キャビネットの取付面部に形成される円錐面または角錐面が、天井面との断面交叉角度が約３０°〜６０°である。
【００１０】
また、好ましくは、本発明の天井設置用スピーカーシステムは、複数のスピーカーが、キャビネットの取付面部の周回する方向において、一周を略均等分するように配置されている。
【００１１】
また、好ましくは、本発明の天井設置用スピーカーシステムは、キャビネットが、底面部の中央開孔および天面部のソケット部に連通する凹部を有し、ソケット部が、中央開口および凹部を介して他の照明装置を接続可能および係合可能にする照明ソケットをさらに含む。
【００１２】
また、好ましくは、本発明の天井設置用スピーカーシステムは、キャビネットの内部に取り付けられて、照明用ソケットからソケット部を介して電源を供給されてスピーカーに増幅した音声信号を出力するアンプ回路を、さらに備える。
【００１３】
また、好ましくは、本発明の天井設置用スピーカーシステムは、キャビネットの内部に取り付けられて、照明用ソケットからソケット部を介して電源を供給されて受信した無線信号を音声信号に変換してアンプ回路に出力する無線受信回路を、さらに備える。
【００１４】
また本発明の照明装置は、上記の天井設置用スピーカーシステムと、ソケット部の照明ソケットに接続および係合して、照明用ソケットから電源を供給されて照明する照明部と、を備える。
【００１５】
以下、本発明の作用について説明する。
【００１６】
本発明の天井設置用スピーカーシステムは、天井面に設置される照明用ソケットに接続および係合するソケット部と、ソケット部を含む天面部と、天面部の外形よりも小さい外形寸法を有する底面部と、天面部と底面部との間に円錐面または角錐面を形成する取付面部と、を含むキャビネットと、キャビネットの取付面部に取り付けられる複数のスピーカーと、を備える。この天井設置用スピーカーシステムでは、キャビネットの取付面部に形成される円錐面または角錐面が、天井面との断面交叉角度は、約３０°〜６０°であるのが好ましい。それぞれのスピーカーは、円錐面または角錐面である取付面部に沿って配置される細長形平面振動板を有するので、スピーカーシステムとしては天井面に取り付けられるものであっても、音波の放射方向を斜め下方向にして、聴取者が起立位置に居るか、あるいは、着座位置に居るかに関わらず、音圧周波数特性にピーク・ディップが出現しにくく、良好な音声再生を可能にすることができる。
【００１７】
特に、複数のスピーカーのそれぞれは、その細長形平面振動板が、天面部側および底面部側を長径方向とし、取付面部の円錐面または角錐面を周回する方向を短径方向とするように配置されるので、長径方向に沿う高さ方向には音声再生の指向性が狭く、短径方向に沿う横方向には指向性が広くなる。全面駆動される細長形の平面振動板のスピーカーの放射特性は、長径方向に狭く、短径方向に広い指向特性となるからである。また、複数のスピーカーは、キャビネットの取付面部の周回する方向において、一周を略均等分するように配置されている。したがって、天井面に取り付けられる天井設置用スピーカーシステムであっても、高さ方向の音波の反射体である天井面、あるいは、ペンダント型の照明装置の傘部、等の影響を少なくできて、聴取者が起立位置に居るか、あるいは、着座位置に居るか、また、周方向のいずれの角度方向に居るか、に関わらず、音圧周波数特性にピーク・ディップが出現しにくく、良好な音声再生が可能になる。
【００１８】
また、この天井設置用スピーカーシステムは、キャビネットが、底面部の中央開孔および天面部のソケット部に連通する凹部を有し、ソケット部が、中央開口および凹部を介して他の照明装置を接続可能および係合可能にする照明ソケットをさらに含む。さらに具体的には、キャビネットの内部に取り付けられて、照明用ソケットからソケット部を介して電源を供給されてスピーカーに増幅した音声信号を出力するアンプ回路を、あるいは、照明用ソケットからソケット部を介して電源を供給されて受信した無線信号を音声信号に変換してアンプ回路に出力する無線受信回路を、さらに備える。したがって、この天井設置用スピーカーシステムは、組み合わせる照明装置だけでなく、スピーカーに音声信号を供給する音声再生装置を限定することなく、組み合わせ対象とすることができる。もちろん、スピーカーを内蔵する単独の照明装置として、上記の天井設置用スピーカーシステムと、ソケット部の照明ソケットに接続および係合して、照明用ソケットから電源を供給されて照明する照明部と、を備えてもよい。
【発明の効果】
【００１９】
本発明の天井設置用スピーカーシステムは、組み合わせ対象とする照明装置を限定することなく、また、聴取者が起立位置に居るか、あるいは、着座位置に居るか、また、周方向のいずれの角度方向に居るか、に関わらず、音圧周波数特性にピーク・ディップが出現しにくく、良好な音声再生を可能にすることができる。
【図面の簡単な説明】
【００２０】
【図１】本発明の好ましい実施形態による天井設置用のスピーカーシステム２と、これを用いる照明装置３０について説明する図である。（実施例１）
【図２】本発明の好ましい実施形態による天井設置用のスピーカーシステム２について説明する拡大斜視図である。（実施例１）
【図３】本発明の好ましい実施形態による天井設置用のスピーカーシステム２について説明する拡大断面図である。（実施例１）
【図４】本発明の好ましい実施形態による天井設置用のスピーカーシステム２に用いるスピーカー１０について説明する展開斜視図である。（実施例１）
【図５】本発明の好ましい実施形態による天井設置用のスピーカーシステム２の聴取位置Ｐ１およびＰ２における音圧周波数特性を示すグラフである。（実施例１）
【図６】比較例１の天井設置用のスピーカーシステム１０１について説明する斜視図、および、その聴取位置Ｐ１およびＰ２における音圧周波数特性を示すグラフである。（比較例１）
【図７】比較例２の天井設置用のスピーカーシステム１０２について説明する斜視図、および、その聴取位置Ｐ１およびＰ２における音圧周波数特性を示すグラフである。（比較例２）
【図８】本発明の他の好ましい実施形態による天井設置用のスピーカーシステム２ａについて説明する斜視図である。（実施例２）
【発明を実施するための形態】
【００２１】
以下、本発明の好ましい実施形態による天井設置用スピーカーシステムおよびこれを用いる照明装置について説明するが、本発明はこれらの実施形態には限定されない。
【実施例１】
【００２２】
図１は、本発明の好ましい実施形態による天井面１に設置した天井設置用のスピーカーシステム２と、これを用いる照明装置３０について説明する図である。また、図２は、天井設置用のスピーカーシステム２について説明する拡大斜視図であり、図３は、その拡大断面図である。さらに、図４は、天井設置用のスピーカーシステム２に用いるスピーカー１０について説明する展開斜視図である。
【００２３】
具体的には、この天井設置用のスピーカーシステム２は、住居又は店舗の天井面１の照明用ソケット１ｓに接続および係合して設置し、天井面１から吊り下げる照明装置３０の上側から音声を再生する天井設置用スピーカーシステムであり、組み合わせるペンダント型の照明装置３０を任意に選択可能である。なお、天井面１の照明用ソケット１ｓは、シーリング、または、ローゼットと呼ぶ場合がある。また、後述するように、説明に不要な一部の構造や、内部構造等は、図示を省略している。
【００２４】
スピーカーシステム２は、樹脂等で形成されるキャビネット３に、細長形平面振動板１５を有する合計４個のスピーカー１０を備え、天井面１に設置されてその下方に位置する聴取者に音声信号を音波に変換して再生する。キャビネット３は、天井面１に対向する円形の天面部４と、天面部４の外形よりも小さい外形寸法を有する円形の底面部５と、天面部４と底面部５との間に円錐面を形成する取付面部６と、を含み、外形が頂点を下向きにした円錐の一部を切り取ったような形状を有している。本実施例の場合には、天面部４の直径が約３０ｃｍであり、底面部５の直径が約１２ｃｍであり、キャビネット３の取付面部６に形成される円錐面は、天井面１との断面交叉角度θが約４５°になるように設定されている。なお、キャビネット３の取付面部６は、天井面１との断面交叉角度が約３０°〜６０°になるのが好ましい。
【００２５】
キャビネット３は、取付面部６に取り付けられるスピーカー１０の細長形平面振動板１５の前後を離隔して、細長形平面振動板１５の前後に放射される逆位相の関係になる音波同士が打消し合うのを防止する。また、キャビネット３は、スピーカー１０の最低共振周波数付近および以下の低音域の増大を図るために、その内部に音響容量を規定する空間を有する。キャビネット３は、密閉型、バスレフ形、ケルトン型、等の諸方式のキャビネットを採用することができる。なお、スピーカーシステム２のキャビネット３は、露出するスピーカー１０を保護するように、（図示しない）前面グリル、パンチングネット、等を設けても良い。
【００２６】
スピーカーシステム２のキャビネット３は、その天面部４の中央部分に、天井面１に設置される照明用ソケット１ｓに接続および係合するソケット部２０を含む。ソケット部２０は、他の照明装置が有するソケットに準じる正負の接続電極および係合機構を含む。したがって、このスピーカーシステム２を天井面１に設置しようとする使用者は、天面部４の中央部分に露出するソケット部２０を、キャビネット３を下側から支え持つようにして天井面１の照明用ソケット１ｓに近づけていくと、ソケット部２０と照明用ソケット１ｓとを接続および係合することができる。シーリング、または、ローゼットと呼ぶ場合がある天井面１の照明用ソケット１ｓを利用するので、容易な作業でスピーカーシステム２を天井面１に設置または取り外しすることができる。なお、本実施例では、図３に図示するように、天井面１にキャビネット３の天面部４との間に挟み込まれるクッション部材９を設け、キャビネット３の天面部４が振動して天井面１との間で異音を発生するようなことがないようにしている。
【００２７】
スピーカーシステム２のキャビネット３は、図示するように、その中央に縦方向に円筒状の空間を規定する凹部７を有する。凹部７は、底面部５の中央開孔と、天面部４のソケット部２０に連通する。また、ソケット部２０は、中央開口および凹部７を介して他の照明装置３０を接続可能および係合可能にする照明ソケットをさらに含んでいるので、天井面１から吊り下げられて使用される吊り下げ型の照明器具３０を組み合わせて使用することができる。図示するペンダント型の照明装置３０は、傘部３１の内部側に本体部３２に接続する(図示しない)ＬＥＤ照明を含み、本体部３２に電源電圧を供給する接続コード３３により吊り下げられる。また、接続コード３３の端部には照明用のソケット３４が接続されているので、このソケット３４をソケット部２０に接続および係合すればよい。
【００２８】
スピーカーシステム２のキャビネット３の内部には、受信した無線信号を音声信号に変換する無線受信回路およびスピーカー１０に増幅した音声信号を出力するアンプ回路を含む回路部２２が設けられている。回路部２２には、天井面１の照明用ソケット１ｓからソケット部２０から、接続線２１を介して電源が供給される。したがって、（図示しない）ＣＤプレーヤー等の音声再生装置から（図示しない）無線発信装置を介して天井設置用のスピーカーシステム２から音声再生が可能になる。回路部２２は、無線信号またはリモコン信号によりアンプ回路部分の音量調整を可能にするようにしてもよい。この天井設置用のスピーカーシステム２は、組み合わせる照明装置３０だけでなく、スピーカー１０に音声信号を供給する音声再生装置を限定することなく、組み合わせ対象とすることができる。
【００２９】
スピーカーシステム２のキャビネット３の取付面部６には、４個のスピーカー１０が、取付面部６の周回する方向において、一周を４つに略均等分するように周方向に約９０°の間隔で配置されている。スピーカー１０は、図４に図示するように、細長方形の平面振動板１５と、平面振動板１５の周囲を振動可能に支持するエッジ１６と、平面振動板１５の背面側に固定されるボイスコイル組立体１１と、ボイスコイル組立体１１を振動可能に支持するダンパー１４と、フレーム１７と、マグネットを含む複数の磁気回路１８と、を備える全面駆動の平面薄型スピーカーである。ボイスコイル組立体１１は、３つのボイスコイル１３をボビン１２により格子状に連結しており、スピーカー１０は、３つのボイスコイル１３に対応する３つの磁気回路１８を備える。
【００３０】
本実施例の場合には、スピーカー１０は、その平面振動板１５が取付面部６の円錐面に沿うように配置される。取付面部６に沿って配置される細長方形のスピーカー１０の平面振動板１５は、長径方向ｄａの長さが約９ｃｍ、短径方向ｄｂの長さが約２ｃｍである。それぞれのスピーカー１０の細長方形平面振動板１５は、天面部４側および底面部５側を長径方向ｄａとし、取付面部６の円錐面を周回する方向を短径方向ｄｂとするように配置される。なお、図４に図示するスピーカー１０とは異なる構成のスピーカーであっても、細長方形の振動板１５を備えて、長径方向に指向性が狭く、短径方向に指向性が広いスピーカーであれば、取付面部６への配置方向を上記と同様の条件にすればよい。
【００３１】
図５は、本実施例の天井設置用のスピーカーシステム２の音圧周波数特性を示すグラフである。具体的には、図５（ａ）は周方向７２点の聴取位置Ｐ１における音圧レベルの平均値と標準偏差であり、図５（ｂ）は周方向７２点の聴取位置Ｐ２における音圧レベルの平均値と標準偏差である。図１に示すように、聴取位置Ｐ１は、聴取者の起立位置を想定して、天井面１からの距離ｙ１が約７５ｃｍで、かつ、スピーカーシステム２の中心から周方向の半径距離ｒ１が約１．０ｍの位置であって、周方向に５°おきに合計７２点を測定点としている。また、聴取位置Ｐ２は、聴取者の着座位置を想定して、天井面１からの距離ｙ１が約１．２ｍで、かつ、スピーカーシステム２の中心から周方向の半径距離ｒ１が約１．０ｍの位置であって、周方向に５°おきに合計７２点を測定点としている。なお、照明装置３０の傘部３１は、球面の一部を切り出して凸面側が上側になるように配置した典型的な傘形状を想定し、直径が約５０ｃｍで天井面１からの距離が約７０ｃｍである場合としている。
【００３２】
図１に示すように、スピーカーシステム２のキャビネット３の取付面部６に取り付けられる複数のスピーカー１０の細長方形平面振動板１５から放射された音波は、聴取位置Ｐ１またはＰ２には、直接音ｓ０と、照明装置３０の傘部３１での反射音ｓ１と、天井面１での反射音ｓ２として到来する。照明装置３０の傘部３１での反射音ｓ１と、天井面１での反射音ｓ２は、反射面への入射角と反射角が等しくなる。直接音ｓ０に比較して反射音ｓ１およびｓ２は遅延して到来するので、これらが合成される音圧周波数特性には、強め合うピークと弱め合うディップとが生じやすくなる。また、スピーカーシステム２の中心から周方向の５°おき合計７２点での音圧分布を見ると、そのバラツキを示す標準偏差が小さいことは、周方向のいずれの角度方向に居るかに関わらず、音圧周波数特性の変化が小さくて良好な音声再生を可能になることを示す。
【００３３】
本実施例の場合には、キャビネット３の取付面部６に形成される円錐面は、天井面１との断面交叉角度θが約４５°になるように設定されていることに加えて、スピーカー１０の細長方形平面振動板１５が天面部４側および底面部５側を長径方向ｄａとし、取付面部６の円錐面を周回する方向を短径方向ｄｂとするように配置されているので、細長方形の振動板１５を備えるスピーカー１０の長径方向に指向性が狭く短径方向に指向性が広いという特性を生かして、聴取位置Ｐ１またはＰ２において、直接音ｓ０のレベルを反射音ｓ１およびｓ２のレベルよりも相対的に高くできるという利点がある。したがって、図５の平均値の特性カーブに示すように、起立位置Ｐ１でも着座位置Ｐ２でも、天井面１や照明装置３０の傘部３１の反射音成分により生じるピーク・ディップが抑制され、高音域まで広く延びた好ましい平坦な音圧周波数特性が得られる。また、本実施例のスピーカーシステム２の構成により、周方向の音圧周波数特性のバラツキが小さくなり、周方向のいずれの角度方向でも良好な音声再生が可能になる。
【００３４】
（比較例１）
図６は、比較例１の天井設置用のスピーカーシステム１０１について説明する図である。具体的には、図６（ａ）は、比較例１のスピーカーシステム１０１の斜視図であり、図６（ｂ）および図６（ｃ）は、その聴取位置Ｐ１およびＰ２における音圧周波数特性を示すグラフであって、周方向の５°おき合計７２点での平均音圧レベルと標準偏差を示すグラフである。比較例１のスピーカーシステム１０１は、上記実施例のスピーカーシステム２に対比して、キャビネット３の形状と、取付面部６に取り付けられたスピーカー１０の取り付け方向と、が異なる点で相違し、それらの他は、ほぼ共通する構成ならびに大きさ寸法を有する。したがって、先の実施例と同一部分には、同一の符号を付し、説明および図示を省略する。
【００３５】
具体的には、比較例１のスピーカーシステム１０１のキャビネット３は、天井面１に対向する正方形の天面部４と、天面部４の外形よりも小さい外形寸法を有する正方形の底面部５と、天面部４と底面部５との間に４面の角錐面を形成する取付面部６と、を含み、外形が頂点を下向きにした四角錐の一部を切り取ったような形状を有する。キャビネット３の取付面部６の４面の角錐面に取り付けられるそれぞれのスピーカー１０の細長方形平面振動板１５は、天面部４側および底面部５側を短径方向ｄｂとし、取付面部６の円錐面を周回する方向を長径方向ｄａとするように配置される。なお、上記実施例と同様に、キャビネット３の取付面部６に形成される角錐面は、天井面１との断面交叉角度θが約４５°になるように設定されている
【００３６】
比較例１の場合には、細長方形の振動板１５を備えるスピーカー１０の長径方向に指向性が狭く短径方向に指向性が広いという特性が裏目に出て、聴取位置Ｐ１またはＰ２において、反射音ｓ１およびｓ２のレベルが直接音ｓ０のレベルに対して相対的に高くなってしまい、その結果、図６の平均値の特性カーブに示すように、起立位置Ｐ１でも着座位置Ｐ２でも、天井面１や照明装置３０の傘部３１の反射音成分により生じるピーク・ディップが大きい好ましくない音圧周波数特性が得られる。また、比較例１のスピーカーシステム１０１の構成により、周方向の音圧周波数特性のバラツキが大きくなり、キャビネット３の取付面部６に形成される角錐面に対する角度によって周波数特性が異なり、その結果、音声再生する音色が異なってしまうという問題がある。
【００３７】
（比較例２）
図７は、比較例２の天井設置用のスピーカーシステム１０２について説明する図である。具体的には、図７（ａ）は、比較例２のスピーカーシステム１０２の斜視図であり、図７（ｂ）および図７（ｃ）は、その聴取位置Ｐ１およびＰ２における音圧周波数特性を示すグラフであって、周方向の５°おき合計７２点での平均音圧レベルと標準偏差を示すグラフである。比較例２のスピーカーシステム１０２は、上記実施例のスピーカーシステム２に対比して、キャビネット３の形状が異なる点で相違し、それらの他は、ほぼ共通する構成ならびに大きさ寸法を有する。したがって、先の実施例と同一部分には、同一の符号を付し、説明および図示を省略する。
【００３８】
具体的には、比較例２のスピーカーシステム１０２のキャビネット３は、天井面１に対向する円形の天面部４と、天面部４と同寸法を有する円形の底面部５と、を含み、天面部４と底面部５との間に円錐面となる取付面部６を含まない。その結果、キャビネット３は、外形が円筒の一部を切り取ったような形状を有する。４個のそれぞれのスピーカー１０は、キャビネット３の底面部５に取り付けられる。４個のそれぞれのスピーカー１０の細長方形平面振動板１５は、底面部５の中心方向及び放射方向を長径方向ｄａとし、円形の底面部５を周回する方向を短径方向ｄｂとするように配置される。
【００３９】
比較例２の場合には、細長方形の振動板１５を備えるスピーカー１０の長径方向に指向性が狭く短径方向に指向性が広いという特性を生かしているものの、４個のそれぞれのスピーカー１０を真下に向けるようにキャビネット３の底面部５に取り付けているので、聴取位置Ｐ１またはＰ２において、反射音ｓ１のレベルが直接音ｓ０のレベルに対して相対的に高くなってしまい、その結果、図７の平均値の特性カーブに示すように、起立位置Ｐ１でも着座位置Ｐ２でも、天井面１や照明装置３０の傘部３１の反射音成分により生じるピーク・ディップが大きい好ましくない音圧周波数特性が得られる。また、比較例２のスピーカーシステム１０２の構成により、周方向の音圧周波数特性のバラツキが大きくなり、周方向の位置によって音声再生する音色が異なってしまうという問題がある。
【実施例２】
【００４０】
図２は、本発明の他の好ましい実施形態による天井設置用のスピーカーシステム２ａについて説明する拡大斜視図である。本実施例のスピーカーシステム２ａと、先の実施例のスピーカーシステム２とは、キャビネット３の構成以外は共通である。したがって、先の実施例と同一部分には、同一の符号を付し、説明および図示を省略する。
【００４１】
スピーカーシステム２は、樹脂等で形成されるキャビネット３に、細長形平面振動板１５を有する合計４個のスピーカー１０を備え、天井面１に設置されてその下方に位置する聴取者に音声信号を音波に変換して再生する。キャビネット３は、天井面１に対向する正方形の天面部４と、天面部４の外形よりも小さい外形寸法を有する正方形の底面部５と、天面部４と底面部５との間に４面の角錐面を形成する取付面部６と、を含み、外形が頂点を下向きにした四角錐の一部を切り取ったような形状を有している。本実施例の場合には、天面部４の一辺の長さが約３０ｃｍであり、底面部５の一辺の長さが約１２ｃｍであり、キャビネット３の取付面部６に形成される角錐面は、天井面１との断面交叉角度θが約４５°になるように設定されている。
【００４２】
本実施例の場合には、スピーカー１０は、その平面振動板１５が取付面部６の４面の角錐面の中央付近に沿うようにそれぞれ１個配置される。それぞれのスピーカー１０の細長方形平面振動板１５は、天面部４側および底面部５側を長径方向ｄａとし、取付面部６の円錐面を周回する方向を短径方向ｄｂとするように配置される。なお、図８に図示するスピーカー１０とは異なる構成のスピーカーであっても、細長方形の振動板１５を備えて、長径方向に指向性が狭く、短径方向に指向性が広いスピーカーであれば、取付面部６への配置方向を上記と同様の条件にすればよい。また、本実施例のスピーカーシステム２が備える４つのスピーカー１０は、直列接続でも並列接続でもよく、２つスピーカー１０を並列接続して構成した１組を２組直列接続してもよい。また、本実施例のスピーカーシステム２が備える４つのスピーカー１０は、モノラル信号を再生するモノであってもよく、これらを２組に分けてステレオ信号を再生するものであってもよい。
【００４３】
もちろん、キャビネット３は、天井面１に対向する天面部４が、三角形以上の多角形であればよく、また、底面部５も、天面部４に対応した多角形であって、天面部４の外形よりも小さい外形寸法を有して、天面部４と底面部５との間に角錐面を形成する取付面部６と、を含み、外形が頂点を下向きにした角錐の一部を切り取ったような形状を有していればよい。取付面部６を構成するそれぞれの角錐面には、一つの細長方形の振動板１５を備えるスピーカー１０が配置されればよく、もちろん、複数のスピーカー１０が一つの角錐面に配置されてもよい。天面部４が六角形以上の多角形であれば、３個以上のスピーカー１０が取付面部６の周回する方向において一周を略均等分するように配置されている場合には、スピーカー１０を配置しない角錐面があってもよい。また、キャビネット３の取付面部６は、天井面１との断面交叉角度が約３０°〜６０°でもよい。
【００４４】
さらに、キャビネット３の底面部５は、上記実施例のような平面形状に限定されるものではなく、球面を含む曲面であってもよく、取付面部６と一体化された曲面を構成するものであってもよい。例えば、底面部５と取付面部６とが単一の半径で規定される球面であってもよい。
【００４５】
なお、上記実施例のスピーカーシステム２または２ａでは、スピーカーシステム２のキャビネット３の内部には、受信した無線信号を音声信号に変換する無線受信回路およびスピーカー１０に増幅した音声信号を出力するアンプ回路を含む回路部２２が設けられているが、回路部２２を含んでいなくてもよい。音声信号は、他のケーブルによってスピーカー１０に供給すればよく、場合によっては電源を供給する電力線を介して音声信号を供給してもよい。
【００４６】
また、上記実施例の天井設置用のスピーカーシステム２は、図示した照明装置３０と組み合わせるだけでなく、他の照明部品と組み合わせてスピーカー１０を内蔵する単独の照明装置として構成してもよい。組み合わせる照明装置３０は、ＬＥＤのみならず、蛍光灯、白色電球、その他の照明であってもよい。
【産業上の利用可能性】
【００４７】
本発明の天井設置用のスピーカーシステム２は、上記実施例の場合のような住居または店舗用に適用するものに限定されず、工場等の生産設備の天井面１、あるいは、道路のトンネル等の照明用ソケット１ｓに接続および係合して設置する天井設置用スピーカーシステムおよびこれを用いる照明装置、等にも適用が可能である。
【符号の説明】
【００４８】
１        天井面
１ｓ      照明用ソケット
２        スピーカーシステム
３        キャビネット
４        天面部
５        底面部
６        取付面部
７        凹部
９        クッション部材
１０      スピーカー
１１      ボイスコイル組立体
１２      ボビン
１３      ボイスコイル
１４      ダンパー
１５      平面振動板
１６      エッジ
１７      フレーム
１８      磁気回路
２０      ソケット部
２１      接続線
２２      回路部
３０      照明装置
３１      傘部
３２      本体部
３３      接続コード
３４      ソケット
【図１】
0005626096.tif 000002
【図２】
0005626096.tif 000003
【図４】
0005626096.tif 000004
【図８】
0005626096.tif 000005
【図３】
0005626096.tif 000006
【図５】
0005626096.tif 000007
【図６】
0005626096.tif 000008
【図７】
0005626096.tif 000009